(57)【要約】【課題】画像ブレ補正レンズ群の外径を小さくし、画像ブレ補正アクチュエータが小型・軽量であって、消費電力が少ない画像ブレ補正機能を備え，かつズーミングのために移動するレンズ群の数が少なく、鏡筒の構造が複雑でない画像ブレ補正機能を備えたズームレンズを提供すること。【解決手段】物体側から順に、正の屈折力の第１レンズ群、負の屈折力の第２レンズ群、正の屈折力の第３レンズ群、正の屈折力の第４レンズ群、負の屈折力の第５レンズ群を有し、第２レンズ群は物体側より順に、少なくとも負の屈折力の第２Ａレンズ群、負の屈折力の第２Ｂレンズ群を有し、前記第２Ｂレンズ群を画像ブレ補正レンズ群とし、光軸とほぼ垂直方向に移動させることにより画像ブレを補正する画像ブレ補正機能を備えたズームレンズ。【選択図】図１
2014209144.tif 000002
【特許請求の範囲】
【請求項１】
物体側から順に、正の屈折力の第１レンズ群、負の屈折力の第２レンズ群、正の屈折力の第３レンズ群、正の屈折力の第４レンズ群、負の屈折力の第５レンズ群を有し、広角端から望遠端への変倍に際し、少なくとも第１レンズ群、第３レンズ群、第５レンズ群が物体側に移動すると共に、第１レンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少するズームレンズにおいて、
第２レンズ群は物体側より順に、少なくとも負の屈折力の第２Ａレンズ群、負の屈折力の第２Ｂレンズ群を有し、前記第２Ｂレンズ群を画像ブレ補正レンズ群とし、光軸とほぼ垂直方向に移動させることにより画像ブレを補正し、かつ、以下の条件式を満足することを特徴とする画像ブレ補正機能を備えたズームレンズ。
0.1 ＜ | f2 | / ft ＜ 0.2     ・・・・・・・・・・・・・(1)
0.9 ＜ f2B / f2 ＜ 1.5        ・・・・・・・・・・・・・(2)
ただし、f2は第２レンズ群の焦点距離、ftは望遠端状態で全系の焦点距離、f2Bは第２Ｂレンズ群の焦点距離を示す。
【請求項２】
第２レンズ群は物体側より順に、負の屈折力の第２Ａレンズ群、負の屈折力の第２Ｂレンズ群、正の屈折力の第２Ｃレンズ群の３つのレンズ群からなることを特徴とする請求項１記載の画像ブレ補正機能を備えたズームレンズ。
【請求項３】
以下の条件式を満足することを特徴とする請求項２に記載の画像ブレ補正機能を備えたズームレンズ。
0.6 ＜ f2AB /  f2  ＜ 0.9    ・・・・・・・・・・・・・(3)
2.0 ＜ f2C / | f2 | ＜ 15    ・・・・・・・・・・・・・(4)
ただし、f2ABは第２Ａレンズ群と第２Ｂレンズ群の合成焦点距離、f2は第２レンズ群の焦点距離、f2Cは第２Ｃレンズ群の焦点距離を示す。
【請求項４】
以下の条件式を満足することを特徴とする請求項１〜３いずれか一項に記載の画像ブレ補正機能を備えたズームレンズ。
1.0 ＜ f3 / | f2 | ＜ 2.0    ・・・・・・・・・・・・・(5)
ただし、f2は第２レンズ群の焦点距離、f3は第３レンズ群の焦点距離を示す。
【請求項５】
変倍に際し、第２レンズ群と第４レンズ群は固定であることを特徴とする請求項１〜４いずれか一項に記載の画像ブレ補正機能を備えたズームレンズ。
【請求項６】
開口絞りは第４レンズ群と第５レンズ群の間に配置し、変倍に際し、他のレンズ群とは独立して移動することを特徴とする請求項１〜５いずれか一項に記載の画像ブレ補正機能を備えたズームレンズ。
【発明の詳細な説明】
【技術分野】
【０００１】
本発明は、３５ミリ一眼レフカメラ、ビデオカメラ、デジタルカメラに好適な画像ブレ補正機能を備えたズームレンズ、さらに詳しくは、画像ブレ補正レンズが小径・軽量で、かつ画像ブレ補正された画像の収差劣化が少ない画像ブレ補正機能を備えたズームレンズに関する。
【背景技術】
【０００２】
撮影系に偶発的にあるいは不本意に振動が伝わることがある。この場合、撮影画像に画像ブレが生じる。この偶発的なあるいは不本意な振動による画像ブレを補正する機構すなわち画像ブレ補正機能を備えたズームレンズが、従来より種々提案されている。例えば、光学系を構成するレンズ群の一部を光軸と略垂直な方向に移動させて振動による画像ブレを補正する光学系が知られている。
【０００３】
レンズ群の一部を移動させて画像ブレを補正するには、一般に、画像ブレ補正のために光軸と略垂直な方向に移動させるレンズ群（補正レンズ群）が小型であること、その移動量が少ないこと、その移動に対する画像ブレの補正の効率が高いことすなわち小さな移動で大きな補正をすることができることが望ましい。また、このような画像ブレ補正機能を備えたズームレンズにおいて、画像ブレ補正レンズ群を移動すなわち光軸に対して偏心させた際に発生する偏心コマ収差、偏心非点収差、偏心色収差、偏心歪曲収差等の偏心収差が小さいことが望ましい。
【０００４】
従来技術の画像ブレ補正機能を備えたズームレンズとして、物体側から順に、正の屈折力の第１群、負の屈折力の第２群の少なくとも２つのレンズ群を有し、広角端から望遠端への変倍を第１群と第２群の空気間隔を変えて行う変倍光学系であって、第２群は負の屈折力の第２１群と正の屈折力の第２２群を有し、第２１群を光軸と直交する方向に移動させて画像ブレを補正するズームレンズが提案されている（例えば、特許文献１参照）。
【０００５】
このような構成とすることによって、画像ブレ補正レンズ群の偏心敏感度すなわち画像ブレ補正レンズ群の所定光軸直交移動量に対する画像ブレ補正量を大きくすると共に、第２群で発生する諸収差を良好に補正している。しかし、望遠端の焦点距離に対する第２群の屈折力が弱い。そのため、本願発明を特に好適に実施できる焦点距離が４００mmを超える超望遠系の光学系においては、望遠側のＦ値を本発明のＦ５．７程度とすると、画像ブレ補正レンズ群の外径が大きくなり、それに伴いアクチュエータが巨大化して、ズームレンズ全体の小型化が困難となる。画像ブレ補正レンズ群の小型化を達成するためには、第２群の屈折力をさらに大きくしなければならない。さらに、諸収差の悪化を防ぐために、第２群の構成を見直す必要がある。
【０００６】
従来技術の画像ブレ補正機能を備えた他のズームレンズとして、物体側より順に正の屈折力を有する第１レンズ群Ｇ１、正の屈折力を有する第２レンズ群Ｇ２、負の屈折力を有する第３レンズ群Ｇ３、正の屈折力を有する第４レンズ群Ｇ４、負の屈折力を有する第５レンズ群Ｇ５、正の屈折力を有する第６レンズ群Ｇ６、負の屈折力を有する第７レンズ群Ｇ７を有し、広角から望遠への変倍に際して第１レンズ群、第２レンズ群、第４レンズ群、第５レンズ群、第６レンズ群、第７レンズ群を物体側へ動かし、第７レンズ群を光軸方向へ移動させてフォーカシングを行い、第３レンズ群は物体側より順に、前部Ｇ３Ａと後部Ｇ３Ｂよりなり、第３レンズ群後部Ｇ３Ｂを光軸に対して垂直成分を含む方向に移動させて画像ブレを補正するズームレンズが提案されている（例えば、特許文献２参照）。
【０００７】
前記構成において、望遠端における第３レンズ群の位置を、広角端における第３レンズ群の位置より像側にすることによって、防振レンズ群Ｇ３Ｂの外径を小さくしている。しかし、ズーミングは、防振レンズ群Ｇ３Ｂを含む６つのレンズ群を移動させるため、鏡筒の機械的構造が複雑であるという問題がある。
【０００８】
従来技術の画像ブレ補正機能を備えた他のズームレンズとして、物体側より順に正の屈折力の第１群、負の屈折力の第２群、正の屈折力の第３群、負の屈折力の第４群、正の屈折力の第５群、負の屈折力の第６群からなり、第２群は正の屈折力の第２ａ群と負の屈折力の第２ｂ群又は正の屈折力の第２ａ群と負の屈折力の第２ｂ群、そして負の屈折力の第２ｃ群より構成され、変倍の際、第１，３，５，６群を移動させる変倍光学系であって、第２ｂ群を光軸と垂直方向に移動させて画像ブレを補正するズームレンズが提案されている（例えば、特許文献３参照）。
【０００９】
前記構成において、第２ａ群を正の屈折力のレンズ群とすることによって、第２群全体で防振する場合に比べ、第２ｂ群の外径を小さくし、且つ偏心敏感度を上げている。しかし、第２ａ群の正の屈折力が弱く、第２群全体で防振する場合に対し、十分な補正効果が得られない。逆に、第２ａ群の正の屈折力を強くすると、第２ｂ群に入射する軸上光束の入射角が大きくなるため、収差補正上好ましくない。
【先行技術文献】
【特許文献】
【００１０】
【特許文献１】特許第３３８７６６９号公報
【特許文献２】特許第４２２６８５４号公報
【特許文献３】特許第４３２３５８４号公報
【発明の概要】
【発明が解決しようとする課題】
【００１１】
（発明の目的）
本発明は、上述した従来技術の画像ブレ補正機能を備えたズームレンズの問題に鑑みてなされたものであって、画像ブレ補正レンズ群の外径を小さくし、画像ブレ補正アクチュエータが小型・軽量であって、消費電力が少ない画像ブレ補正機能を備えたズームレンズを提供することを目的とする。
本発明はまた、ズーミングのために移動するレンズ群の数が少なく、鏡筒の構造が複雑にならない画像ブレ補正機能を備えたズームレンズを提供することを目的とする。
本発明はさらに、画像ブレ補正のために画像ブレ補正のために光軸と略直交する方向に移動させる画像ブレ補正レンズ群の偏心敏感度が大きく、小さな移動で大きなブレ補正効果を得ることができ、しかも画像ブレ補正レンズ群に入射する軸上光束の入射角度が大きくならず収差補正上不利になることがない画像ブレ補正機能を備えたズームレンズを提供することを目的とする。
本発明はさらに、画像ブレ補正のために画像ブレ補正レンズ群を光軸と略直交する方向に移動させても、諸収差の劣化が少なく、高画質の画像ブレ補正画像を形成することができる画像ブレ補正機能を備えたズームレンズを提供することを目的とする。
【課題を解決するための手段】
【００１２】
本発明は、物体側から順に、正の屈折力の第１レンズ群、負の屈折力の第２レンズ群、正の屈折力の第３レンズ群、正の屈折力の第４レンズ群、負の屈折力の第５レンズ群を有し、広角端から望遠端への変倍に際し、少なくとも第１レンズ群、第３レンズ群、第５レンズ群が物体側に移動すると共に、第１レンズ群と第２レンズ群の間隔が増大し、第２レンズ群と第３レンズ群の間隔が減少し、第３レンズ群と第４レンズ群の間隔が増大し、第４レンズ群と第５レンズ群の間隔が減少するズームレンズにおいて、
第２レンズ群は物体側より順に、少なくとも負の屈折力の第２Ａレンズ群、負の屈折力の第２Ｂレンズ群を有し、前記第２Ｂレンズ群を画像ブレ補正レンズ群とし、光軸とほぼ垂直方向に移動させることにより画像ブレを補正し、かつ、以下の条件式を満足することを特徴とする画像ブレ補正機能を備えたズームレンズ。
0.1 ＜ | f2 | / ft ＜ 0.2     ・・・・・・・・・・・・・(1)
0.9 ＜ f2B / f2 ＜ 1.5        ・・・・・・・・・・・・・(2)
ただし、f2は第２レンズ群の焦点距離、ftは望遠端状態で全系の焦点距離、f2Bは第２Ｂレンズ群の焦点距離を示す。
【００１３】
本発明の画像ブレ補正機能を備えたズームレンズの構成をさらに詳しく説明すると、物体側から順に、少なくとも正の屈折力の第１レンズ群、負の屈折力の第２レンズ群、正の屈折力の第３レンズ群、正の屈折力の第４レンズ群、負の屈折力の第５レンズ群を有する。広角端から望遠端への変倍に際して、少なくとも第１レンズ群、第３レンズ群、第５レンズ群が物体側に移動する。すなわち、本発明は、第１レンズ群と第２レンズ群の間隔が増大し、第２レンズ群と第３ンズ群の間隔が減少し、第３レンズ群と第４レンズ群の間隔が増大し、第４レンズ群と第５レンズ群の間隔が減少するように移動する。この構成により、各レンズ群の変倍作用の収差補正の負担が大きくならず、またズーム比の高倍率化と全長の小型化をバランスを取って両立させることができる。
【００１４】
無限遠状態から近距離物体状態への合焦は、第５レンズ群を像側に移動することで行う。また、第２レンズ群、第４レンズ群は固定であることが望ましい。これにより、鏡筒の機構の簡素化を図れる。一方、第４レンズ群は移動させることも可能で、第３レンズ群と第４レンズ群の間隔を変えることによって、ズーミングにおける球面収差の変動を良好に補正し、かつズーム中間域での像面湾曲を良好に補正することができる。
【００１５】
第３レンズ群は、物体側から順に、負レンズと正レンズの２枚で構成することが望ましく、レンズ枚数を極力抑えることができる。
【００１６】
開口絞りは、第４レンズ群と第５レンズ群の間に配置し、他のレンズ群と独立で移動することが望ましい。この構成により、絞り径を小さく構成できると共に、全ズーム範囲において絞り径を一定にすることができる。
【００１７】
また、フォーカス群である第５レンズ群が開口絞りと隣接することにより、第５レンズ群を通る軸上光束と周辺光束は、ほぼレンズ径の同じ高さの位置を通る。このため、第５レンズ群のレンズ径を必要以上に大きくする必要がなく、小型化が可能となる。第５レンズ群は、物体側より順に正レンズと負レンズの接合レンズで構成することにより、レンズ枚数を少なく抑え、本画像ブレ補正機能を備えたズームレンズの軽量化を実現できる。
【発明の効果】
【００１８】
本発明の画像ブレ補正機能を備えたズームレンズによれば、画像ブレ補正レンズ群の外径を小さくし、画像ブレ補正アクチュエータが小型・軽量であって、消費電力が少ない画像ブレ補正機能を備えたズームレンズを構成することができる。
【００１９】
本発明の画像ブレ補正機能を備えたズームレンズによればまた、画像ブレ補正レンズ群の外径を小さくし、画像ブレ補正アクチュエータが小型・軽量であって、消費電力が少ない画像ブレ補正機能を備えたズームレンズを構成することができる。
【００２０】
本発明の画像ブレ補正機能を備えたズームレンズによれば、さらに、ズーミングのために移動するレンズ群の数が少なく、鏡筒の構造が複雑にならない画像ブレ補正機能を備えたズームレンズを構成することができる。
【００２１】
本発明の画像ブレ補正機能を備えたズームレンズによれば、さらに、画像ブレ補正のために光軸と略直交する方向に移動させる画像ブレ補正レンズ群の偏心敏感度が大きく、小さな移動で大きなブレ補正効果を得ることができ、しかも画像ブレ補正レンズ群に入射する軸上光束の入射角度が大きくならず収差補正上不利になることがない画像ブレ補正機能を備えたズームレンズを構成することができる。
【００２２】
本発明の画像ブレ補正機能を備えたズームレンズによれば、さらに、画像ブレ補正のために画像ブレ補正レンズ群を光軸と略直交する方向に移動させても、諸収差の劣化が少なく、高画質の画像ブレ補正画像を形成することができる画像ブレ補正機能を備えたズームレンズを構成することができる。
【００２３】
本発明は、好ましくは、前記本発明の画像ブレ補正機能を備えたズームレンズにおいて、第２レンズ群は物体側より順に、負の屈折力の第２Ａレンズ群、負の屈折力の第２Ｂレンズ群、正の屈折力の第２Ｃレンズ群の３つのレンズ群からなることを特徴とする。
【００２４】
本発明は、好ましくは、前記本発明の画像ブレ補正機能を備えたズームレンズにおいて、以下の条件式を満足することを特徴とする。
0.6 ＜ f2AB /  f2  ＜ 0.9    ・・・・・・・・・・・・・(3)
2.0 ＜ f2C / | f2 | ＜ 15    ・・・・・・・・・・・・・(4)
ただし、f2ABは第２Ａレンズ群と第２Ｂレンズ群の合成焦点距離、f2は第２レンズ群の焦点距離、f2Cは第２Ｃレンズ群の焦点距離を示す。
【００２５】
本発明は、好ましくは、前記本発明の画像ブレ補正機能を備えたズームレンズにおいて、以下の条件式を満足することを特徴とする。
1.0 ＜ f3 / | f2 | ＜ 2.0    ・・・・・・・・・・・・・(5)
ただし、f2は第２レンズ群の焦点距離、f3は第３レンズ群の焦点距離を示す。
【００２６】
本発明は、好ましくは、前記本発明の画像ブレ補正機能を備えたズームレンズにおいて、変倍に際し、第２レンズ群と第４レンズ群は固定であることを特徴とする。
【００２７】
本発明は、好ましくは、前記本発明の画像ブレ補正機能を備えたズームレンズにおいて、開口絞りは第４レンズ群と第５レンズ群の間に配置し、変倍に際し、他のレンズ群とは独立して移動することを特徴とする。
【００２８】
（条件式（１）の説明）
0.1 ＜ | f2 | / ft ＜ 0.2    ・・・・・・・・・・・・・(1)
条件式（１）は、望遠端の焦点距離に対する第２レンズ群の焦点距離の比を適切に設定するための条件式である。
条件式（１）の下限値を超えると、第２レンズ群の外径を小さくすることが容易となる。しかし、第２レンズ群の屈折力が強くなり、第２レンズ群で発生する収差、特に球面収差が大きくなり、これを第３ンズ群以降で補正することが困難になる。また、ズーム中間領域において、非点収差の補正が困難となる。
条件式（１）の上限値を超えると、球面収差の補正には有利となるが、第２ンズ群の外径が大きくなるという問題をもたらす。
【００２９】
本発明の画像ブレ補正機能を備えたズームレンズにおいては、さらに、第２レンズ群は、物体側より順に、少なくとも負の屈折力の第２Ａレンズ群、負の屈折力の第２Ｂレンズ群を有し、前記第２Ｂレンズ群を画像ブレ補正レンズ群とし、光軸とほぼ垂直方向に移動させることにより画像ブレを補正する。第２レンズ群は最も変倍作用が大きく、かつ画像ブレ補正レンズ群を小型化するために、強い負の屈折力となる傾向がある。従って、本発明のように第２レンズ群を２又は３つのレンズ群に分割することが望ましい。これにより、負の屈折力を分散させ、第２レンズ群で発生する球面収差、非点収差、軸外コマ収差を良好に補正することが可能となる。このとき、第２Ａレンズ群は負の屈折力であることが望ましい。これにより、画像ブレ補正レンズ群（第２Ｂレンズ群）に入射する軸上光束の入射角が緩やかになり、画像ブレ補正時の偏心収差の発生を抑えることができる。
【００３０】
（条件式（２）の説明）
0.9 ＜ f2B / f2 ＜ 1.5        ・・・・・・・・・・・・・(2)
条件式（２）は、第２レンズ群に対する第２Ｂレンズ群の屈折力の比を適切に設定するための条件式である。
条件式（２）の下限値を超えると、画像ブレ補正のためのレンズ駆動量が小さくなり、画像ブレ補正レンズ群の追従性や画像ブレ補正ユニットの小型化には有利となる。しかし、画像ブレ補正時の球面収差、非点収差の補正が困難になる。
条件式（２）の上限値を超えると、画像ブレ補正の際のレンズ駆動量が大きくなるため、画像ブレ補正ユニットの大型化を招く。
【００３１】
第２レンズ群を小型化させる最良の形態は、物体側から順に、負の屈折力の第２Ａレンズ群、負の屈折力の第２Ｂレンズ群、正の屈折力の第２Ｃレンズ群で構成することである。第２Ｂレンズ群の像側に正の屈折力の第２Ｃレンズ群を配置することにより、第２Ｂレンズ群の負の屈折力を強くすることができる。負の屈折力の強い第２Ｂレンズ群は、偏心敏感度すなわち画像ブレ補正レンズ群の所定光軸直交移動量に対する画像ブレ補正量が大きくなり、画像ブレ補正アクチュエータを小型化することに有利となる。前述した第２レンズ群を３レンズ群に分割することは、収差補正の観点からも、第２Ａレンズ群と第２Ｂレンズ群で発生した負の収差を正の屈折力の第２Ｃレンズ群で打ち消すことが可能となり、第２レンズ群を２つのレンズ群に分割した場合よりさらに、画像ブレ補正アクチュエータを小型化することに有利となる。第２Ｃレンズ群は、物体側から順に、少なくとも正レンズと負レンズで構成することが好ましい。このレンズ構成により、主に画像ブレ補正時の非点収差を良好に補正することが可能となる。
【００３２】
（条件式（３）の説明）
0.6 ＜ f2AB /  f2  ＜ 0.9    ・・・・・・・・・・・・・(3)
条件式（３）は、第２レンズ群に対する第２Ａレンズ群と第２Ｂレンズ群の合成焦点距離の比を適切に設定するための条件式である。
条件式（３）の下限値を超えると、画像ブレ補正レンズ群が小型化しやすい傾向となる。一方、負の屈折力が強くなり過ぎて、特に画像ブレ補正時のコマ収差、非点収差を補正することが困難になる。
条件式（３）の上限値を超えると、画像ブレ補正時の諸収差の補正には有利となるが、画像ブレ補正レンズ群の小型化が困難になる。
【００３３】
（条件式（４）の説明）
2.0 ＜ f2C / | f2 | ＜ 15    ・・・・・・・・・・・・・(4)
条件式（４）は、第２レンズ群に対する第２Ｃレンズ群の屈折力の比を適切に設定するための条件式である。
条件式（４）の下限値を超えると、正の屈折力が強くなり過ぎて、レンズ枚数が増えるため好ましくない。
条件式（４）の上限値を超えると、第２Ａレンズ群と第２Ｂレンズ群で発生した負の収差の補正が困難となる。特に、画像ブレ補正時の非点収差を良好に補正することが困難になる。
【００３４】
（条件式（５）の説明）
1.0 ＜ f3 / | f2 | ＜ 2.0    ・・・・・・・・・・・・・(5)
条件式(5)は、画像ブレ補正機能を備えたズームレンズの小型化を図り、かつ諸収差を良好に補正するために、第２レンズ群と第３レンズ群の焦点距離の比を適切に設定するためのものである。
条件式（５）の下限値を超えると、画像ブレ補正機能を備えたズームレンズの小型化には有利となるが、球面収差、コマ収差の補正が困難になる。これらの諸収差を良好に補正するには、第３レンズ群のレンズ枚数が多くなり好ましくない。
条件式（５）の上限値を超えると、球面収差、コマ収差の補正には有利となるが、第３、第４レンズ群の外径が大きくなる問題がある。また、第３レンズ群の移動量が増大し、画像ブレ補正機能を備えたズームレンズの全長を長くするので好ましくない。
【図面の簡単な説明】
【００３５】
【図１】本発明の第１実施形態の画像ブレ補正機能を備えたズームレンズの無限遠合焦時の光学断面及び各レンズ群のズーム移動を示す光学断面図である。
【図２】図１に示す第１実施形態の広角端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図３】図１に示す第１実施形態の中間焦点距離状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図４】図１に示す第１実施形態の望遠端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図５】本発明の第２実施形態の画像ブレ補正機能を備えたズームレンズの無限遠合焦時の光学断面及び各レンズ群のズーム移動を示す光学断面図である。
【図６】図５に示す第２実施形態の広角端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図７】図５に示す第２実施形態の中間焦点距離状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図８】図５に示す第２実施形態の望遠端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図９】本発明の第３実施形態の画像ブレ補正機能を備えたズームレンズの無限遠合焦時の光学断面及び各レンズ群のズーム移動を示す光学断面図である。
【図１０】図９に示す第３実施形態の広角端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１１】図９に示す第３実施形態の中間焦点距離状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１２】図９に示す第３実施形態の望遠端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１３】本発明の第４実施形態の画像ブレ補正機能を備えたズームレンズの無限遠合焦時の光学断面及び各レンズ群のズーム移動を示す光学断面図である。
【図１４】図１３に示す第４実施形態の広角端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１５】図１３に示す第４実施形態の中間焦点距離状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【図１６】図１３に示す第４実施形態の望遠端状態における無限遠合焦時の球面収差図、非点収差図及び歪曲収差図である。球面収差図の実線グラフは波長５８７．５６ｎｍの光線を示し、点線グラフは波長４３５．８４ｎｍの光線を示す。非点収差図のｄｍはｄ線のメリディオナル像面の収差を示し、ｄｓはｄ線のサジタル像面の収差を示す。
【発明を実施するための形態】
【００３６】
以下に示す実施形態において、諸元光学データにおける面番号NSは物体側から数えたレンズ面の面番号、ｒはレンズ面の曲率半径(mm)、ｄはレンズ面の光軸上の間隔(mm)、ｎｄはｄ線（波長λ=587.6ｎｍ）に対する屈折率、vdはｄ線（波長λ=587.6ｎｍ）に対するアッベ数をそれぞれ示している。f は焦点距離（ｍｍ）、FNo.は開口数、ωが半画角（°）を示す。面番号の後側にＳを付したものは、絞りを示す。
【００３７】
（第１実施形態）
f = 205.00〜487.00
FNo. = 4.59〜5.75
ω = 5.96〜2.51
【００３８】
面番号            r           d            nd            vd
物面            ∞          (d0)
1               482.5439    2.7000       1.80420       46.50 
2               136.9302   10.0000       1.49700       81.61 
3             -1311.2444    0.2000 
4               154.4406   10.0000       1.49700       81.61 
5              -891.1563   (d5)
6              -131.8575    2.0000       1.63854       55.45 
7              -465.4831    0.4259 
8               172.2754    4.0000       1.69680       55.46 
9               517.9251    3.3582 
10             3967.0669    1.5000       1.56732       42.84 
11               45.8114    4.0000       1.84666       23.78 
12               86.1419    8.0164 
13             -409.3100    1.8000       1.72916       54.67 
14              164.3517    (d14)
15              146.9915    1.8000       1.90366       31.31 
16               80.4953   10.5000       1.48749       70.44 
17              -78.4715    d(17)
18              110.9146    8.5000       1.49700       81.61 
19              -78.3006    1.5000       1.83400       37.34 
20             2951.7311    0.2000 
21               88.4914    4.4959       1.74330       49.22 
22            -3091.0648   d(22)
23Ｓ           ∞          d(23)
24              188.4400    3.4000       1.67270       32.17 
25              -86.6515    1.0000       1.71300       53.94 
26               45.7256   d(26)
27              -96.1249    5.0000       1.60342       38.01 
28              -47.3945   18.8963 
29              -49.4312    1.5000       1.72342       37.99 
30              -92.7467    (bf)
【００３９】
[ 無限遠合焦時の可変間隔]
広角        中間          望遠
f              205.0001    300.0000      487.0000 
d0              ∞          ∞            ∞
d5              28.8518     80.2974      138.2464 
d14             35.8093     20.5025        6.7969 
d17              1.5000     16.8068       30.5124 
d22             32.5090     21.0137        2.0000 
d23              1.5000      6.6922        4.8541 
d26             27.2150     33.5181       54.3698 
bf              64.2045     64.2045       64.2045 
【００４０】
[ 近距離合焦時の可変間隔 （撮影距離2.2m）]
広角          中間          望遠
f              179.3019      231.4119      288.6839 
d0            1902.9363     1851.4907     1793.5415 
d5              28.8518       80.2974      138.2464 
d14             35.8093       20.5025        6.7969 
d17              1.5000       16.8068       30.5124 
d22             32.5090       21.0137        2.0000 
d23              6.3420       16.4347       25.6545 
d26             22.3729       23.7756       33.5695 
bf              64.2045       64.2045       64.2045 
【００４１】
[ 条件式対応値 ]
条件式(1)      0.192 
条件式(2)      1.092 
条件式(5)      1.496 
【００４２】
（第２実施形態）
f = 205.04〜486.97
FNo. = 4.62〜5.78
ω = 5.90〜2.49
【００４３】
面番号             r          d             nd           vd
物面              ∞           (d0)
1               436.4287      3.0000       1.80400       46.60 
2               122.1130     11.5000       1.49782       82.57 
3              -605.0947      0.3000 
4               125.4694     11.0000       1.49782       82.57 
5             -1875.0633      (d5)
6              -496.2416      4.1000       1.60342       38.01 
7               -61.4135      1.5000       1.72916       54.67 
8               132.4791      5.1000 
9              -188.3876      1.5000       1.51742       52.15 
10               46.2336      3.8000       1.80518       25.46 
11               99.3055      2.0000 
12             -411.8858      1.7000       1.74330       49.22 
13              143.7588      3.0000 
14              153.9724      9.5000       1.60738       56.82 
15              -32.5888      1.7000       1.65844       50.85 
16             -200.7252      (d16)
17              121.8569      1.7000       1.90366       31.31 
18               73.6444     10.0000       1.48749       70.44 
19              -63.3839      (d19)
20              524.0060      7.6000       1.49700       81.61 
21              -54.0683      1.7000       1.83400       37.34 
22             -164.5813      0.2000 
23               69.2565      4.3000       1.74330       49.22 
24              203.8076      (d24)
25Ｓ            ∞            (d25)
26              151.8781      3.1000       1.64769       33.84 
27             -106.5949      1.1000       1.72916       54.67 
28               44.3402      (d28)
29              -96.2691      5.0000       1.58144       40.89 
30              -43.4021     21.0392 
31              -40.3878      1.5000       1.83481       42.72 
32              -68.1862      (bf)
【００４４】
[ 無限遠合焦時の可変間隔]
広角          中間          望遠
f            205.0431     299.9821       486.9688 
d0            ∞            ∞            ∞
d5            52.0770      83.8845       127.4543 
d16           23.8204      10.7208         2.0000 
d19            1.5000       8.8128        12.3467 
d24           32.6377      23.5524         4.9613 
d25            8.2078      11.1530         5.8667 
d28           19.8179      31.7449        60.8092 
bf            54.3185      54.3185        54.3185 
【００４５】
[ 近距離合焦時の可変間隔 （撮影距離2.2m）]
広角          中間          望遠
f              175.7064      225.0670      280.4931 
d0            1890.0000     1858.1924     1814.6227 
d5              52.0770       83.8845      127.4543 
d16             23.8204       10.7208        2.0000 
d19              1.5000        8.8128       12.3467 
d24             32.6377       23.5524        4.9613 
d25             13.6845       21.5022       26.1835 
d28             14.3413       21.3957       40.4924 
bf              54.3185       54.3185       54.3185 
【００４６】
[ 条件式対応値 ]
条件式(1)      0.140 
条件式(2)      1.259 
条件式(3)      0.679 
条件式(4)      2.606 
条件式(5)      1.564 
【００４７】
（第３実施形態）
f = 205.00〜487.00
FNo. = 4.60〜5.76
ω = 5.96〜2.51
【００４８】
面番号             r          d            nd            vd
物面              ∞         (d0)
1                558.3655    2.7000       1.80400       46.60 
2                139.4024   10.5000       1.49782       82.57 
3               -668.2361    0.2000 
4                146.6085    9.5000       1.49782       82.57 
5              -1118.6091    (d5)
6               -184.3582    3.0958       1.60342       38.01 
7                -78.4233    1.7000       1.74400       44.90 
8               -759.0474    3.0000 
9               -338.8378    1.5000       1.51742       52.15 
10                50.9127    4.0000       1.84666       23.78 
11                82.0507    3.6574 
12              -290.8254    1.5000       1.71300       53.94 
13               474.8838    3.3272 
14               116.6954    6.6077       1.61800       63.39 
15               -73.5919    8.6519 
16               -54.6227    1.7000       1.61800       63.39 
17              1689.1127    (d17)
18               238.5481    1.8000       1.90366       31.31 
19               100.9122   10.5000       1.49700       81.61 
20               -62.9714    (d20)
21               172.8037    8.5000       1.48749       70.44 
22               -69.2343    1.5000       1.83400       37.34 
23              -210.9192    0.2000 
24                72.4017    4.3000       1.74330       49.22 
25               166.6731    (d25)
26(絞り)          ∞         (d26)
27               185.1203    3.0000       1.67270       32.17 
28               -88.3740    1.0000       1.69680       55.46 
29                45.2699    (d29)
30               -87.7232    5.0000       1.51742       52.15 
31               -48.0961   24.4805 
32               -56.4244    1.5000       1.72916       54.67 
33              -109.4653    (bf)
【００４９】
[ 無限遠合焦時の可変間隔]
広角        中間          望遠
f            205.0000     300.0000       486.9998 
d0            ∞          ∞              ∞
d5            22.5976      77.8408       132.5976 
d17           28.7349      20.1857        11.5943 
d20            1.5000      10.0493        18.6406 
d25           35.3321      22.2590         3.0000 
d26            3.7089       7.5300         4.8106 
d29           29.7060      38.9579        60.9364 
bf            54.3186      54.3186        54.3186 
【００５０】
[ 近距離合焦時の可変間隔 （撮影距離2.2m）]
広角          中間         望遠
f              177.4144      228.3957      283.2414 
d0            1900.0000     1844.7568     1790.0000 
d5              22.5976       77.8408      132.5976 
d17             28.7349       20.1857       11.5943 
d20              1.5000       10.0493       18.6406 
d25             35.3321       22.2590        3.0000 
d26              8.5748       16.9032       24.2275 
d29             24.8400       29.5848       41.5195 
bf              54.3186       54.3186       54.3186 
【００５１】
[ 条件式対応値 ]
条件式(1)      0.179 
条件式(2)      1.238 
条件式(3)      0.832 
条件式(4)      3.327 
条件式(5)      1.501 
【００５２】
（第４実施形態）
f = 205.00〜487.00
FNo. = 4.59〜5.75
ω = 5.96〜2.51
【００５３】
面番号           r            d            nd            vd
物面            ∞           (d0)
1               3780.7912    2.7000       1.80420       46.50 
2                164.6767   11.0525       1.49700       81.61 
3               -266.3818    0.2000 
4                132.1963    8.0978       1.49700       81.61 
5               1175.7104    (d5)
6                314.4323    5.0831       1.62004       36.30 
7               -106.1601    6.5862 
8                -74.4300    1.8000       1.71736       29.50 
9              -1202.3391    7.6422 
10              -297.8350    1.5000       1.56883       56.04 
11                45.2037    4.0000       1.84666       23.78 
12                92.7276    4.0000 
13              -194.4620    1.8000       1.72342       37.99 
14               246.7662    3.0000 
15               134.4913    3.0000       1.63854       55.45 
16               184.8712    (d16)
17               113.4290    1.8000       1.90366       31.31 
18                69.2087   10.5000       1.48749       70.44 
19               -71.3663    (d19)
20               134.9908    8.5000       1.49700       81.61 
21               -76.8654    1.5000       1.83400       37.34 
22              -283.4054    0.2000 
23                91.8322    4.7406       1.74330       49.22 
24               223.4482    (d24)
25Ｓ             ∞          (d25)
26               433.9229    3.8000       1.72342       37.99 
27               -37.6454    1.0000       1.69680       55.46 
28                47.4180     (bf)
【００５４】
[ 無限遠合焦時の可変間隔]
広角          中間          望遠
f              205.0000     299.9999       486.9996 
d0             ∞           ∞             ∞
d5              21.4303      65.9246       120.2513 
d16             38.5508      22.5010         8.7809 
d19              1.5000      17.5498        31.2699 
d24             31.4929      20.4210         2.3032 
d25              2.5139       5.7070         1.5000 
bf             104.0719     111.9506       134.2754 
【００５５】
[ 近距離合焦時の可変間隔 （撮影距離2.2m）]
広角          中間          望遠
f              179.1165      231.7878      291.6486 
d0            1907.2564     1862.7622     1808.4353 
d5              21.4303       65.9246      120.2513 
d16             38.5508       22.5010        8.7809 
d19              1.5000       17.5498       31.2699 
d24             31.4929       20.4210        2.3032 
d25              7.7118       15.8608       22.2165 
bf              98.8740      101.7968      113.5589 
【００５６】
[ 条件式対応値 ]
条件式(1)      0.195 
条件式(2)      0.910 
条件式(3)      0.893 
条件式(4)      7.951 
条件式(5)      1.212 
【符号の説明】
【００５７】
Ｓ                          絞り
ＩＰ                        結像面
１，２，３，・・・          レンズ面
Ｌ１，Ｌ２，Ｌ３，・・・    レンズ群
Ｌ２Ａ，Ｌ２Ｂ，Ｌ２Ｃ      レンズ群
【図１】
2014209144.tif 000003
【図２】
2014209144.tif 000004
【図３】
2014209144.tif 000005
【図４】
2014209144.tif 000006
【図５】
2014209144.tif 000007
【図６】
2014209144.tif 000008
【図７】
2014209144.tif 000009
【図８】
2014209144.tif 000010
【図９】
2014209144.tif 000011
【図１０】
2014209144.tif 000012
【図１１】
2014209144.tif 000013
【図１２】
2014209144.tif 000014
【図１３】
2014209144.tif 000015
【図１４】
2014209144.tif 000016
【図１５】
2014209144.tif 000017
【図１６】
2014209144.tif 000018